(57)【要約】  無線端末（１００）を、その無線端末（１００）の所在地に関連付けられた動作地域に基づいて異なる短距離用無線ネットワーク要件に適合させるための手法および装置は、本明細書に説明されているとおりである。その無線端末（１００）は、その無線端末（１００）の所在地に関連付けられた動作地域を決定する。典型的な動作地域は、国ないし国のグループを含むことができる。その決定された動作地域に基づいて、その無線端末（１００）内の制御装置（１２０、１２２）は、その無線端末（１００）内の短距離用無線送受信機（１１２）を１つ以上の動作パラメータの範囲内で動作するように設定する。
2008524922.tif 000002
【特許請求の範囲】
【請求項１】
無線端末（１００）内の短距離用無線送受信機（１１２）を短距離用無線ネットワーク内での動作のために設定する方法であって、
前記無線端末（１００）の所在地に関連付けられた動作地域を決定する工程と、
前記短距離用無線送受信機（１１２）を前記動作地域に対応する１つ以上の動作パラメータに従って動作するように設定する工程と
を備える方法。
【請求項２】
前記短距離用無線送受信機（１１２）を設定する工程が、当該短距離用無線送受信機（１１２）を前記動作地域に対応する所定の周波数帯域内で動作するように設定する工程を備える請求項１に記載の方法。
【請求項３】
前記短距離用無線送受信機（１１２）を前記所定の周波数帯域内で動作するように設定する工程が、当該短距離用無線受信機（１１２）を２．４ＧＨｚおよび５ＧＨｚ周波数帯域の少なくとも１つの帯域内で動作するように設定する工程を備える請求項２に記載の方法。
【請求項４】
セル方式の送受信機（１１４）を介して所在地情報を受信する工程をさらに備え、
前記動作地域を決定する工程が前記所在地情報に対応する当該動作地域を決定する工程を備える請求項１に記載の方法。
【請求項５】
前記所在地情報が移動電話国番号を備える請求項４に記載の方法。
【請求項６】
前記動作地域を決定する工程が、当該動作地域を決定する所在地認識回路により提供される所在地の座標を処理する工程を備える請求項１に記載の方法。
【請求項７】
前記所在地の座標が世界測位衛星システムの座標を備える請求項６に記載の方法。
【請求項８】
前記動作地域に対応する前記１つ以上の動作パラメータを決定するために参照テーブルを使用する工程をさらに備える請求項１に記載の方法。
【請求項９】
前記動作地域に基づいて長距離用無線インタフェースを介して前記１つ以上の動作パラメータを受信する工程をさらに備える請求項１に記載の方法。
【請求項１０】
前記短距離用無線送受信機（１１２）を設定する工程が、当該短距離用無線送受信機（１１２）を前記動作地域に対応する所定の送信電力範囲内で動作するように設定する工程を備える請求項１に記載の方法。
【請求項１１】
前記短距離用無線ネットワークが無線ローカル・エリア・ネットワークを備える請求項１に記載の方法。
【請求項１２】
短距離用無線ネットワーク内で無線信号を送信および受信するように設定された短距離用送受信機（１１２）と、
前記短距離用送受信機（１１２）を前記無線端末の所在地に関連付けられた動作地域に対応する１つ以上の動作パラメータの範囲内で動作するように設定する制御装置（１２０、１２２）と
を備える無線端末（１００）。
【請求項１３】
前記１つ以上の動作パラメータが周波数帯域および送信電力の少なくとも１つを備える請求項１２に記載の無線端末（１００）。
【請求項１４】
前記動作地域が少なくとも１つの国を含む請求項１２に記載の無線端末（１００）。
【請求項１５】
当該無線端末（１００）の前記所在地に対応する制御情報を受信するように設定されたセル方式の送受信機（１１４）をさらに備える請求項１２に記載の無線端末（１００）。
【請求項１６】
前記受信した制御情報に基づいて前記動作地域を決定するように設定された所在地認識回路（１３０）をさらに備える請求項１５に記載の無線端末（１００）。
【請求項１７】
前記受信した制御情報が移動電話国番号を含む請求項１５に記載の無線端末（１００）。
【請求項１８】
前記セル方式の送受信機（１１４）が前記動作地域に対応するセル方式のネットワークを介して前記１つ以上の動作パラメータをさらに受信する請求項１５に記載の無線端末（１００）。
【請求項１９】
前記無線端末（１００）の前記所在地に対応する所在地情報を決定する全世界測位衛星システム回路（１３０）をさらに備える請求項１２に記載の無線端末（１００）。
【請求項２０】
異なる動作地域と１つ以上の異なる動作パラメータとを相互参照するパラメータ・テーブルを格納するメモリ（１０４）をさらに備える請求項１２に記載の無線端末（１００）。
【請求項２１】
前記制御装置（１２０、１２２）がさらに、前記決定された動作地域に基づいて前記パラメータ・テーブル内の前記１つ以上の動作パラメータを参照するように設定されている請求項２０に記載の無線端末（１００）。
【請求項２２】
前記短距離用無線ネットワークが、無線ローカル・エリア・ネットワーク、アドホック・ネットワーク、およびハイパー・ローカル・ネットワークのうちの少なくとも１つを含む請求項１２に記載の無線端末（１００）。
【請求項２３】
前記無線端末（１００）がセル方式の電話（１００）を備える請求項１２に記載の無線端末（１００）。
【請求項２４】
セル方式のネットワーク内でセル方式の信号を送信および受信するように設定されたセル方式の送受信機（１１４）と、
短距離用無線ネットワーク内で無線信号を送信および受信するように設定された短距離用無線送受信機（１１２）と、
前記短距離用無線送受信機が前記セル方式の送受信機（１１４）により受信される制御情報に基づいた１つ以上の動作パタメータの範囲内で動作するように設定する制御装置（１２０、１２２）と
を備えるセル方式の電話（１００）。
【請求項２５】
前記制御情報が前記無線端末（１００）の所在地に関連付けられた動作地域を識別する移動電話国番号を含む請求項２４に記載のセル方式の電話（１００）。
【発明の詳細な説明】
【技術分野】
【０００１】
本発明は、広く短距離用無線ネットワークに関するものであり、そしてさらには特に、世界中の異なる地域における無線ローカル・エリア・ネットワーク（ＷＬＡＮｓ）の動作に関するものである。
【背景技術】
【０００２】
短距離用無線ネットワーク、すなわち、ＷＬＡＮｓは、免許不要の周波数帯域を使って、距離の近い所で情報を通信する。そのような周波数帯域は、２．４−２．４８３５ＧＨｚ、５．１５−５．２５ＧＨｚ、５．２５−５．３５ＧＨｚ、および５．７２５−５．８２５ＧＨｚを含むが、これらに限定されてはいない。国際標準がないために、世界の異なる地域では、同じ短距離用無線アプリケーションに対して、異なる周波数帯域ないし周波数帯域の一部を使用している。たとえば、米国では、ＷＬＡＮアプリケーション用に２．４１２−２．４６２ＧＨｚ周波数帯域を使用することができ、一方フランスでは、２．４５７−２．４７２ＧＨｚ周波数帯域を使用することができる。さらに、米国およびヨーロッパではともに、ＷＬＡＮアプリケーション用に５．２５−５．３５ＧＨｚ周波数帯域を使用するけれども、米国では、この周波数帯域を屋内および屋外双方のアプリケーション用に使われることができるが、一方ヨーロッパでは、この帯域を屋内のアプリケーション用に限定している。
【発明の開示】
【発明が解決しようとする課題】
【０００３】
無線端末は、ますますより発展してきており、そして二次的な短距離用無線（たとえばブルートゥースないしＷＬＡＮ）を含む。ＷＬＡＮおよび他の短距離用無線ネットワークの人気が増え続けているので、ＷＬＡＮを装備した無線端末を携行するユーザが、異なる短距離用ネットワーク要件のある異なる地域を跨いで旅行する可能性が、必然的に増えている。しかしながら、在来の無線端末は、通常、特定の地域のみに対応する特定の動作パラメータで設定されている。それゆえ、在来の無線端末の短距離用無線は、異なる動作パラメータを必要とする世界中の他の地域では、正しく動作しないであろう。
【課題を解決するための手段】
【０００４】
本発明は、世界中の異なる地域における異なる短距離用無線ネットワーク要件に、無線端末を適合させる手法および装置を備える。特に、本発明に準拠した無線端末は、それのその時点における地域的な所在地を決定する。たとえば、その無線端末は、その無線端末の所在地に関連付けてその国を決定することができる。決定された動作地域に基づいて、無線端末の制御装置が、その無線端末の短距離用無線送受信機を所定のＷＬＡＮ周波数スペクトラムのような、１つ以上の動作パラメータの範囲内で動作するように設定する。
【発明を実施するための最良の形態】
【０００５】
図１は、長距離用ネットワークおよび短距離用ネットワークのそれぞれにわたって、１つ以上の無線端末１００とインタフェースする少なくとも１つの無線アクセス・ネットワーク（ＲＡＮ）２０および少なくとも１つの無線アクセス・ポイント（ＷＡＰ）３０を含む典型的な無線システム１０を説明している。図１は、明確にするために、限られた数のＲＡＮ２０、ＷＡＰ３０、および無線端末１００を図示している。しかしながら、当業者は、無線システム１０が、ＲＡＮ２０またはＷＡＰ３０または無線端末１００またはそれらの組み合わせをいくらでも含むことができることを十分に理解するであろう。
【０００６】
ＲＡＮ２０は、任意の周知の手段に従って、セル方式のネットワークのような長距離用無線ネットワークを介して無線端末１００と通信する。当業者により理解されるように、ＲＡＮ２０および無線端末１００は、音声、データまたは音声とデータの組み合わせのような周知のどんなタイプの情報をも通信することができる。さらに、ＲＡＮ２０および無線端末１００は、任意の周知の通信標準に準拠してこの情報を通信することができる。これらの通信標準は、広くＧＳＭ（全地球移動通信システム）、ＧＰＲＳ（汎用パケット無線システム）、ＴＩＡ／ＥＩＡ−１３６、ｃｄｍａＯｎｅ、ｃｄｍａ２０００、ＵＭＴＳ（第３世代移動体通信システム）、および広帯域ＣＤＭＡ（符号分割多元接続）として知られる標準を含むがこれに限定されるものではない。
【０００７】
各々のＷＡＰ３０は、１つ以上の無線端末１００への短距離用無線通信リンク（たとえば、ＷＬＡＮリンク）を提供する。短距離用無線ネットワークは、無線端末１００がＷＡＰ３０を介してマルチメディア・サブシステム４０とインタフェースをとれるようにする。結果として、その無線端末１００は、その無線端末とマルチメディア・サブシステム４０との間で有線インタフェースを必要とせずに、インターネット５０、ＰＳＴＮ／ＩＳＤＮ６０、等のような種々のマルチメディア要素と情報を交換することができる。結果として、ユーザは、短距離用無線ネットワークをサポートする任意の地域から、インターネット５０を閲覧したり、電子メールをチェックしたり、ＩＰ電話を掛けたりなどができる。図１は、ＷＡＰ３０が種々のマルチメディア要素とインタフェースするためにマルチメディア・サブシステム４０と接続していることを図示しているけれども、当業者は、ＷＡＰ３０は、１つ以上のマルチメディア要素と直接接続できるということを十分理解するであろう。
【０００８】
図２は、本発明に準拠した１つの典型的な無線端末１００のブロック図を説明している。本明細書で使用されているように、用語"無線端末"は無線通信のできる任意の無線装置を表わしている。無線端末の限定されない一覧表には、マルチライン・ディスプレイの有無に係わらず、セル方式の無線電話および以下を含む。セル方式の無線電話とデータ処理、ファクシミリ、およびデータ通信能力を組み合わせることができるパーソナル・通信システム（ＰＣＳ）端末と、無線電話、ページャ、インターネット／イントラネット・アクセス、ウェブブラウザ、システム手帳と、カレンダー機能、および／または世界測位衛星システム（ＧＰＳ）受信機を含むことができる情報携帯端末（ＰＤＡ）と、ラップトップおよび／またはパームトップ受信機ないし長距離用および短距離用無線通信ができる他の家電製品。
【０００９】
無線端末１００は、ユーザ・インタフェース１０２、メモリ１０４、アンテナ１０６、送受信機１１０、システム・プロセッサ１２０、および所在地認識回路１３０を含む。ユーザ・インタフェース１０２は、そのユーザに無線端末１００と情報をやり取りし、そして制御できるようにする。そのユーザ・インタフェース１０２は、ディスプレイ、１つ以上のユーザ入力デバイス、たとえばキーボード、ジョイスティック等、マイクロフォンおよびスピーカまたはそのいずれかを含むことができる。
【００１０】
送受信機１１０と繋がっているアンテナ１０６は、無線信号を受信し、そしてそれらをＲＡＮ２０およびＷＡＰ３０またはそのいずれかに送信する。送受信機１１０は、その送受信機１１０により受信された信号を処理するベースバンド処理回路を含んでいることが好ましい。あるいは、ベースバンド処理回路がそのシステム・プロセッサ１２０に組み込まれることも可能である。
【００１１】
図２に示されているように、送受信機１１０は、長距離用送受信機１１４および短距離用送受信機１１２を含む。長距離用送受信機１１４は、広くＧＳＭ、ＧＰＲＳ、ＴＩＡ／ＥＩＡ、ｃｄｍａＯｎｅ、ｃｄｍａ２０００、ＵＭＴＳ、および広帯域ＣＤＭＡとして知られる標準を含め、任意の周知のセル方式の標準に準拠して動作する十分な機能を有するセル方式無線送受信機を表わしている。短距離用送受信機１１２は、距離の近い所、たとえば、１０００フィート以下、そして通常３００フィート前後で、無線端末１００とＷＡＰ３０ないし他の無線ポートとの間で無線信号を送信および受信する。たとえば、短距離用送受信機１１２は、無線端末１００がＷＡＰ３０を介してマルチメディア・サブシステム４０とインタフェースすることができるように、ＩＥＥＥ８０２．１１標準に準拠して動作するＷＬＡＮ送受信機を備えていてよい。図１は、双方の送受信機１１２、１１４に対して共通のアンテナ１０６を示しているけれども、当業者には、アンテナ１０６が、その短距離用送受信機１１２およびその長距離用送受信機１１４の個々に対して１つ以上のアンテナを備えていてよいことを十分理解されるであろう。
【００１２】
システム・プロセッサ１２０は、メモリ１０４に格納されているプログラムに従って、無線端末１００の全ての動作を制御することを含め、さまざまな処理タスクを実行する。そのシステム・プロセッサ１２０は、ハードウェア、ファームウェア、ソフトウェア、ないしそれらの組み合わせにより実現でき、そして単一のマイクロプロセッサないし複数のマイクロプロセッサを備えていてもよい。そのマイクロプロセッサは、汎用マイクロプロセッサ、ディジタル信号プロセッサ、ないし他の専用プロセッサであってよい。システム・プロセッサ１２０により実行される機能は、信号処理、画像処理、および無線端末１００の全ての動作の制御を含んでいてよい。本発明に従って、および以下により詳細に説明されているように、システム・プロセッサ１２０は、短距離用の制御装置１２２を含んでいてよい。図２は、システム・プロセッサ１２０と一体化した特定の短距離用制御装置を説明しているけれども、当業者は、短距離用制御装置１２２の機能は、システム・プロセッサ１２０の他の機能に組み込んでもよいことを十分理解するであろう。さらに、当業者は、短距離用制御装置１２２はシステム・プロセッサ１２０とは別個に実現できることを十分理解するであろう。
【００１３】
メモリ１０４は、ランダム・アクセス・メモリ（ＲＡＭ）およびリード・オンリ・メモリ（ＲＯＭ）の双方を含んでいてよい。無線端末１００の動作に必要なコンピュータ・プログラム命令およびデータは、ＥＰＲＯＭまたはＥＥＰＲＯＭまたはフラッシュ・メモリまたはそれらの組み合わせのような非揮発性のメモリに格納してよく、その非揮発性のメモリは、個別素子、積層素子として実現でき、あるいはシステム・プロセッサ１２０と一体化できる。
【００１４】
本発明に従って、短距離用制御装置１２２は、短距離用送受信機１１２が無線端末１００の所在地に関連付けられた動作地域に対応する１つ以上の動作パラメータの範囲内で動作するように設定する。それ故、無線端末１００がある地域から別の地域に移動するにつれて、短距離用制御装置１２２は、その時点での動作地域の要件に適合するようにその短距離用送受信機１１２の設定を変更する。
【００１５】
無線端末１００は、任意の周知の手段に従ってその動作地域を決めることができる。１つの典型的な実施形態では、その無線端末１００は、長距離用無線ネットワークを介してその無線端末１００に通報される制御情報から地域情報を引き出すことができる。当業者により理解されるように、無線端末１００がセル方式のネットワークに入ると、ＲＡＮ２０は、その無線端末１００に制御情報を通報する。無線端末１００は、この制御情報を用いて、そのネットワークを識別し、動作地域を識別し、そのネットワーク内での接続を確立したりなどする。たとえば、ＧＰＲＳネットワークでは、通報される制御情報は移動電話国番号（ＭＣＣ）および移動電話網番号（ＭＮＣ）を含む。そのＭＣＣ／ＭＮＣ情報に基づいて、その無線端末１００は、そのネットワークの識別情報および所在地を決めることができる。たとえば、あるＭＣＣ／ＭＮＣ＝３１０／１５０は、米国のシンギュラー（Ｃｉｎｇｕｌａｒ（登録商標））に変換する。
【００１６】
無線端末１００は、通常、そのＭＣＣ／ＭＮＣ情報を使用して、無線端末１００がローミング料金、長距離通話料、および／またはユーザ特有のセル方式のサービス・プランに関連したさまざまな他の料金の対象になっているかどうかを決める。しかしながら、本発明に準拠して、無線端末１００は、またこの通報される制御情報を用いて、短距離用無線活動に対して無線端末１００の所在地に関連付けられた動作地域を識別することができる。そのために、１つの典型的な実施形態では、無線端末１００は図２に示されているように所在地認識回路１３０を含むことができる。図２は、システム・プロセッサ１２０とは分離した所在地認識回路１３０を説明しているけれども、当業者は、所在地認識回路１３０はシステム・プロセッサ１２０に組み込むことができることを十分に理解するであろう。
【００１７】
長距離用送受信機１１４で通報される制御情報を受信後、システム・プロセッサ１２０は、この情報を所在地認識回路１３０に提供する。所在地認識回路１３０は、そのＭＣＣおよびＭＮＣ情報またはそのいずれかを用いてその無線端末１００の所在地に関連付けられたその時点の動作地域を決める。下記表１は、数個のＭＣＣおよびそれらの対応する地域を表にしたものである。
【００１８】
【表１】
2008524922.tif 000003
【００１９】
上記は、所在地認識回路１３０が、どのように通報される制御情報を用いて無線端末１００の所在地に関連付けられた動作地域を決めることができるかを説明している。しかしながら、本発明は、他の手段を用いてその動作地域を決めることができる。たとえば、別の実施形態に準拠して、所在地認識回路１３０は、任意の在来の手段に従ってその無線端末１００の所在地を決めるＧＰＳ（世界測位衛星システム）を備えることができる。あるいは、外部の装置が無線端末１００にその所在地に対応する座標を提供することができる。いずれにしても、所在地認識回路１３０はその動作地域を識別する所在地情報を処理する。
【００２０】
無線端末１００の所在地に関連付けられた動作地域に基づいて、所在地認識回路１３０は、適切な動作パラメータ、たとえば、送信周波数帯域、送信電力などを短距離用送受信機１１２に対して決める。所在地認識回路１３０は、任意の手段を用いてその時点の動作地域に相応しい特定の動作パラメータを識別する。たとえば、所在地認識回路１３０は、決定された動作地域に基づいてＲＡＮ２０のような外部の情報源からの動作パラメータ情報を要求することができる。あるいは、所在地認識回路１３０は、その適切な動作パラメータを決めるためにメモリ１０４に格納された参照テーブルにアクセスすることができる。図３は、特定の周波数帯域を具体的な国／地域に関連付ける、１つの典型的な参照テーブルである。当業者は、このテーブルが説明のためだけのものであることを十分理解するであろう。異なる、または付加的、またはその両方であるような動作パラメータ、すなわち、送信電力、ビット・レートなどを含む他の参照テーブルもまた使用できる。
【００２１】
図３に示されているように、もし所在地認識回路１３０が、無線端末１００がたとえばフランスで動作していると決定すると、そのとき所在地認識回路１３０は、その短距離用送受信機が２．４５７−２．４７２ＧＨｚ周波数帯域内で動作しなければならないということを決定する。別の例として、もし所在地認識回路１３０が、無線端末１００がメキシコで動作していると決定すると、そのとき所在地認識回路１３０は、その短距離用送受信機が、屋内の送信には２．４１２−２．４４７ＧＨｚ周波数帯域内で、あるいは屋内および屋外の双方の送信には２．４５２−２．４６２ＧＨｚ周波数帯域内で動作しなければならないということを決定する。いずれにしても、短距離用制御装置１２２は、短距離用送受信機１１２を、所在地認識回路１３０により識別された動作パラメータの範囲内で動作するように設定する。
【００２２】
上記は、短距離用送受信機１１２の動作パラメータをその時点の動作地域に対応して設定するために使用できる具体的な装置を説明している。しかしながら、当業者は、本発明がこれらの具体的な装置に限定されないということを十分理解するであろう。本発明は、図４に説明されているように、任意のハードウェア、ソフトウェア、ないし本発明の一般的な処理２００を実現するハードウェアおよびソフトウェアの組み合わせで実現されることができる。特に、本発明は、まず無線端末１００の所在地に関連付けられた動作地域を決定し（ブロック２１０）、そしてそれから短距離用送受信機１１２がその決定された動作地域に対応して１つ以上の動作パラメータに従って動作するように設定する（ブロック２２０）任意のハードウェアまたはソフトウェアまたはハードウエアとソフトウェアのシステムにより実現されることができる。
【００２３】
図５は、その一般的な処理２００の具体的な実施形態向けの別の典型的な処理３００を説明している。この典型的な処理は、説明のためだけのものであり、そして限定されることを意図されてはいない。無線端末１００が、ＷＬＡＮ通信のような短距離用通信に加わりたいとき（ブロック３１０）、所在地認識回路１３０は、その無線端末１００の所在地に関連付けられた動作地域を決定する（ブロック３２０）。たとえば、長距離用送受信機１１４が、そのＭＣＣを受信し、そしてそれを所在地認識回路１３０に提供することができる。その所在地情報に基づいて、所在地認識回路１３０は、短距離用送受信機１１２に対して適切な動作パラメータを決定する（ブロック３３０）。たとえば、所在地認識回路１３０は、メモリ１０４に格納されている参照テーブルを用いて適切な動作パラメータを決定することができる。
【００２４】
短距離用制御装置１２２は、それから決定された動作パラメータに基づいてその短距離用送受信機１１２を設定する（ブロック３４０）。設定されるとすぐに、短距離用送受信機１１２は、短距離用無線ネットワーク内で通信することができる（ブロック３５０）。たとえば、短距離用送受信機１１２は、ＷＡＰ３０と通信し、そのユーザにインターネットを閲覧したり、ないし電子メールをチェックできるようにすることができる。この処理は、短距離用通信が終了するまで続く（ブロック３６０）。さらに、もしその地域が変わると（ブロック３７０）、その短距離用制御装置１２２は、必要に応じて、その短距離用送受信機を再設定する（ブロック３１０−３６０）。
【００２５】
いままで説明している発明は、短距離用無線ネットワーク内で通信する短距離用送受信機１１２および長距離用無線ネットワーク内で通信する長距離用送受信機１１４を有する無線端末１００の観点から説明されている。当業者には、その短距離用無線ネットワークが、任意の周知の短距離用無線ネットワーク、たとえば、８０２．１１標準のいずれかに準拠するＷＬＡＮ、ＨｉｐｅｒＬＡＮネットワーク、ブルートゥース（Ｂｌｕｅｔｏｏｔｈ（登録商標））ネットワーク、赤外線ネットワークなどを備えることができるということを十分理解されるであろう。
【００２６】
さらに、当然のことながら、所在地認識回路１３０は、任意の周知の手段に従って所在地ないしその時点での動作地域を決定することができる。そのようなものとして、所在地認識回路１３０は、ＭＣＣないし長距離用無線ネットワーク内のＲＡＮ２０により通報される任意の他の国／地域情報を用いてその動作地域を決定することができる。さらに、地域認識回路１３０は、ＧＰＳないし他の位置決定手段を用いてその動作地域を決定することができる。
【００２７】
本発明は、もちろん、本発明の本質的な特性を逸脱することなく、本明細書で具体的に説明されているもの以外の方法で実施されることができる。本明細書の実施形態は、あらゆる面で限定されることなく説明に役立つものとして考えられるべきであり、そして添付のクレームの意味および等価な範囲内に入る全ての変更は、その点で受け入れられることを目的としている。
【図面の簡単な説明】
【００２８】
【図１】図１は、典型的な無線システムを説明する図である。
【図２】図２は、本発明に準拠した１つの典型的な無線端末のブロック図を説明する図である。
【図３】図３は、複数の動作地域に対する動作パラメータの１つの典型的なテーブルを説明する図である。
【図４】図４は、本発明の１つの典型的な手法を説明する図である。
【図５】図５は、本発明の別の典型的な手法を説明する図である。
【図１】
2008524922.tif 000004
【図２】
2008524922.tif 000005
【図３】
2008524922.tif 000006
【図４】
2008524922.tif 000007
【図５】
2008524922.tif 000008
【国際調査報告】
2008524922.tif 000009
2008524922.tif 000010
2008524922.tif 000011